(57)【要約】      （修正有）【課題】隣り合う建枠間の寸法の大小の相違に柔軟に対応して簡略容易に、かつ、迅速に当該建枠間に取り付けでき、交差筋交が位置する垂直面領域からの作業者の転落防止機能も発揮し、更に、保管、運搬にも便利である仮設足場用の下棧を提供する。【解決手段】仮設足場用の下棧は、建設現場等における仮設足場用の下棧１であって、太パイプ３と、この太パイプ３の他端側に一端側を抜け止め状態で嵌装する細パイプ４との２重パイプ構造で伸縮式とした下棧本体２と、太パイプ３の一端部に設けた係止孔７付の係止片５と、細パイプ４の他端部に設けた係止孔７付の係止片６とを有する構成としたものである。【選択図】図１
0003187837.tif 000002
【実用新案登録請求の範囲】
【請求項１】
建設現場等における仮設足場用の下棧であって、
パイプ重合構造で伸縮式とした下棧本体と、
前記下棧本体の両端に各々設けた一対の係止孔付係止片と、
を有することを特徴とする仮設足場用の下棧。
【請求項２】
建設現場等における仮設足場用の下棧であって、
太パイプと、この太パイプの他端側に一端側を抜け止め状態で嵌装する細パイプとの２重パイプ構造で伸縮式とした下棧本体と、
前記太パイプの一端部に設けた係止孔付係止片と、前記細パイプの他端部に設けた係止孔付係止片と、
を有することを特徴とする仮設足場用の下棧。
【請求項３】
二つの係止孔付係止片における係止孔間の間隔が６００乃至９１４ｍｍ、又は９００乃至１５２４ｍｍ、或いは１２００乃至１８２９ｍｍのいずれかの範囲で調整可能であることを特徴とする請求項１又は２に記載の仮設足場用の下棧。
【請求項４】
建設現場等における仮設足場用の下棧であって、
一端側太パイプと、この一端側太パイプの他端側に一端側を抜け止め状態に嵌装した中間パイプと、前記中間パイプの他端側が一端側に抜け止め状態で嵌装された他端側太パイプと、の３重パイプ構造で伸縮式とした下棧本体と、
前記一端側太パイプの一端部に設けた係止孔付係止片と、前記他端側太パイプの他端部に設けた係止孔付係止片と、
を有することを特徴とする仮設足場用の下棧。
【請求項５】
二つの係止孔付係止片における係止孔間の間隔が９００乃至１８２９ｍｍの範囲で調整可能であることを特徴とする請求項１又は４に記載の仮設足場用の下棧。
【請求項６】
前記下棧本体を構成するパイプの内部に、両端の二つの係止孔付係止片間に連結されたピアノ線等の可撓性を有する補強材が配置されていることを特徴とする請求項１乃至５のいずれかに記載の仮設足場用の下棧。
【請求項７】
前記下棧本体を構成するパイプの外周部は、黄色等で着色され又は蛍光塗料が塗布されていることを特徴とする請求項１乃至６のいずれかに記載の仮設足場用の下棧。
【請求項８】
前記請求項１乃至７のいずれかに記載の下棧を、仮設足場自体の足場床から所定の高さの位置で隣り合う建枠垂直支柱間に着脱可能に配置していることを特徴とする仮設足場。
【考案の詳細な説明】
【技術分野】
【０００１】
本考案は、隣り合う建枠間の寸法の大小の相違に柔軟に対応して簡略容易に、かつ、迅速に当該建枠間に取り付けでき、交差筋交が位置する垂直面領域からの作業者の転落防止機能も発揮し、更に、保管、運搬にも便利である仮設足場用の下棧及び該下棧を備える仮設足場に関するものである。
【背景技術】
【０００２】
従来、ビルディング等の建築工事現場等においては、例えば建築物の外壁に沿って建築工事に携わる作業者用の仮設足場を構築し、この仮設足場を利用して建築物の外壁工事作業等を実行するようにしている。
【０００３】
この場合、建築物の全幅や高さに応じて、仮設足場用の建枠を左右方向、上下方向に所要数連結して組み立て、高層階にわたる仮設足場とするものである。
【０００４】
このような仮設足場の従来例について、図１０、図１１を参照して概説する。
【０００５】
図１０は従来の最上階を４階とした仮設足場５１の一部を概略的に示すものであり、この仮設足場５１は、建物の外壁方向に沿って平行配置したベース板５２、５２上に、所要数の鳥居型建枠５３を一定間隔を隔てつつ垂直、かつ、平行に配置し、隣り合う鳥居型建枠５３を交差筋交５４を用いて固定連結する。
【０００６】
そして、隣り合う鳥居型建枠５３の各上端連結杆５３ａ間に各足場板５５をフック係合により順に配置して、各足場板５５が建物の外壁方向に連なる２階用の水平な足場６１Ａを構築する。
【０００７】
３階用、４階用の水平な足場６１Ｂ、６１Ｃについても上述した場合と同様にして所要数の鳥居型建枠５３、交差筋交５４を用いて構築する。
【０００８】
図１０に示す従来例においては、４階用の足場６１Ｃにおいて、各鳥居型建枠５３の垂直支柱５３ｂ上端から上方に向けて各々手摺柱５６を立設し、隣り合う手摺柱５６間における４階用の足場板５５に近い位置に中桟５７を、この中桟５７の上方に手摺６３を各々水平配置に取り付け、建築工事に携わる作業者の転落防止、安全性向上を図っている。
【０００９】
図１１は、前記中桟５７の従来例を示すもので、この中桟５７は、例えば鋼材製で丸棒状の中桟本体５８と、前記中桟本体５８の両端に各々設けた一対構成の係止片５９、５９と、からなる一体構成（一本もの）としている。
【００１０】
前記係止片５９、５９には、各々前記手摺柱５６への取り付け用の係止孔６０を設けている。
【００１１】
前記中桟５７は、その長さ寸法が例えば両係止孔６０間の寸法が１８２９ｍｍ、９１４ｍｍ、６１０ｍｍ等の規定寸法のものが用いられるのが通常である。
【００１２】
しかし、上述した中桟５７の場合、数種類の既定寸法の一本ものがほとんどあり、実際に仮設足場５１を構築する場合、各鳥居型建枠５３間の間隔は一定ではなく、大、中、小等に異なるために、これに応じて各中桟５７としても予め大、中、小等のように長さ寸法が異なる複数種のものを用意する必要がある。
【００１３】
この結果、上述した中桟５７の場合、鳥居型建枠５３間の寸法の大小等に応じて長いもの、短いものを探して設置する煩雑さを伴うとともに、長さ寸法が異なる複数種の中桟５７の保管や運搬時の取り扱いも極めて不便である。
【００１４】
更に、図１０に示す２階用、３階用の水平な足場６１Ａ、６１Ｂの領域における交差筋交５４が位置する垂直面には、作業者の身体が通過可能である大きな隙間空間６２（図１０において斜線を付して示す）が形成されるために、この隙間空間６２から作業者が下方に落下する転落事故を防止する必要もある。
【００１５】
特許文献１には、仮設足場用の墜落・転落防止装置であって、隣り合う建枠間に配置される交叉筋違の二本の筋違の下部相互間に阻止バーを折り畳み自在に架設し、該阻止バーは、二本の水平バーを一連に枢着するとともに、両端を両筋違の下部にそれぞれ枢着し、阻止バーにより中桟の機能、作業者の転落防止機能を発揮させるように構成した墜落・転落防止装置が開示されている。
【００１６】
しかし、この墜落・転落防止装置の場合、交叉筋違の下部相互間に取り付ける構成であり、隣り合う建枠の垂直支柱間の間隔の相違（間隔大、小等）に簡略容易に、かつ、迅速に対応して取り付け得るような機能は有していない。
【先行技術文献】
【特許文献】
【００１７】
【特許文献１】実開平７−３８４２６号公報
【考案の概要】
【考案が解決しようとする課題】
【００１８】
本考案が解決しようとする問題点は、隣り合う建枠間の寸法の大小の相違に柔軟に対応して簡略容易に、かつ、迅速に当該建枠間に取り付けでき、交差筋交が位置する垂直面領域からの作業者の転落防止機能も発揮し、更に、保管、運搬にも便利なような仮設足場用の下棧が存在しない点である。
【課題を解決するための手段】
【００１９】
本考案は、建設現場等における仮設足場用の下棧であって、パイプ重合構造で伸縮式とした下棧本体と、前記下棧本体の両端に各々設けた一対の係止孔付係止片と、を有することを最も主要な特徴とする。
【考案の効果】
【００２０】
請求項１記載の考案によれば、隣り合う建枠間の寸法の大小の相違に柔軟に対応して簡略容易に、かつ、迅速に当該建枠間に取り付けでき、交差筋交が位置する垂直面領域からの作業者の転落防止機能も発揮し、更に、保管、運搬にも便利である仮設足場用の下棧を実現し提供することができる。
【００２１】
請求項２記載の考案によれば、太パイプと、この太パイプの他端側に一端側を抜け止め状態で嵌装する細パイプとの２重パイプ構造で伸縮式とした下棧本体と、前記太パイプの一端部に設けた係止孔付係止片と、前記細パイプの他端部に設けた係止孔付係止片と、を有する構成の基に、隣り合う建枠間の寸法の大小の相違に柔軟に対応して簡略容易に、かつ、迅速に当該建枠間に取り付けでき、交差筋交が位置する垂直面領域からの作業者の転落防止機能も発揮し、更に、保管、運搬にも便利である仮設足場用の下棧を実現し提供することができる。
【００２２】
請求項３記載の考案によれば、二つの係止孔付係止片における係止孔間の間隔が６００乃至９１４ｍｍ、又は９００乃至１５２４ｍｍ、或いは１２００乃至１８２９ｍｍのいずれかの範囲で、建枠間の寸法の大小の相違に柔軟に対応して簡略容易に、かつ、迅速に当該建枠間に取り付けでき、交差筋交が位置する垂直面領域からの作業者の転落防止機能も発揮し、更に、保管、運搬にも便利である仮設足場用の下棧を実現し提供することができる。
【００２３】
請求項４記載の考案によれば、一端側太パイプと、この一端側太パイプの他端側に一端側を抜け止め状態に嵌装した中間パイプと、前記中間パイプの他端側が一端側に抜け止め状態で嵌装された他端側太パイプと、の３重パイプ構造で伸縮式とした下棧本体と、前記一端側太パイプの一端部に設けた係止孔付係止片と、前記他端側太パイプの他端部に設けた係止孔付係止片と、を有する構成の基に、隣り合う建枠間の寸法の大小の相違に柔軟に対応して簡略容易に、かつ、迅速に当該建枠間に取り付けでき、交差筋交が位置する垂直面領域からの作業者の転落防止機能も発揮し、更に、保管、運搬にも便利である仮設足場用の下棧を実現し提供することができる。
【００２４】
請求項５記載の考案によれば、二つの係止孔付係止片における係止孔間の間隔が９００乃至１８２９ｍｍの範囲で、建枠間の寸法の大小の相違に柔軟に対応して簡略容易に、かつ、迅速に当該建枠間に取り付けでき、交差筋交が位置する垂直面領域からの作業者の転落防止機能も発揮し、更に、保管、運搬にも便利である仮設足場用の下棧を実現し提供することができる。
【００２５】
請求項６記載の考案によれば、下棧本体を構成するパイプの内部に、両端の二つの係止孔付係止片間に連結されたピアノ線等の可撓性を有する補強材が配置されているので、強度を高めた仮設足場用の下棧を実現し提供することができる。
【００２６】
請求項７記載の考案によれば、仮設足場に取り付けた状態において、この下棧が存在することを作業者は着色部により又は蛍光発光部からの蛍光により明確に認識でき、転落防止に関する安心感を高めることができる仮設足場用の下棧を実現し提供できる。
【００２７】
請求項８記載の考案によれば、作業者が交差筋交が形成する隙間空間から下方に落下することを確実に防止でき、安全性が向上した仮設足場を実現し提供することができる。
【図面の簡単な説明】
【００２８】
【図１】図１は本考案の実施例に係る仮設足場用の下棧及びその伸縮状態を示す説明図である。
【図２】図２は本実施例に係る下棧の内部に補強材を付加した構成を示す概略説明図である。
【図３】図３は本実施例に係る下棧に着色部を付加した構成を示す概略説明図である。
【図４】図４は本実施例に係る下棧に蛍光発光部を付加した構成を示す概略説明図である。
【図５】図５は本考案の変形例に係る仮設足場用の下棧及びその伸縮状態を示す説明図である。
【図６】図６は変形例に係る下棧の内部に補強材を付加した構成を示す概略説明図である。
【図７】図７は変形例に係る下棧に着色部を付加した構成を示す概略説明図である。
【図８】図８は変形例に係る下棧に蛍光発光部を付加した構成を示す概略説明図である。
【図９】図９は本実施例及び変形例の仮設足場用の下棧を取り付けた仮設足場を概略的に示す部分正面図である。
【図１０】図１０は従来の仮設足場の一部を示す概略斜視図である。
【図１１】図１１は従来の仮設足場に用いる下棧を示す正面図である。
【考案を実施するための形態】
【００２９】
本考案は、隣り合う建枠間の寸法の大小の相違に柔軟に対応して簡略容易に、かつ、迅速に当該建枠間に取り付けでき、交差筋交が位置する垂直面領域からの作業者の転落防止機能も発揮し、更に、保管、運搬にも便利である仮設足場用の下棧を提供するという目的を、建設現場等における仮設足場用の下棧であって、太パイプと、この太パイプの他端側に一端側を抜け止め状態で嵌装する細パイプとの２重パイプ構造で伸縮式とした下棧本体と、前記太パイプの一端部に設けた係止孔付係止片と、前記細パイプの他端部に設けた係止孔付係止片と、を有する構成により実現した。
【実施例】
【００３０】
以下、本考案の実施例に係る仮設足場用の下棧及び該下棧を備える仮設足場について図面を参照して詳細に説明する。
なお、以下説明する実施例における下棧の各部分の寸法は、図示例に限定されるものでないことは勿論である。したがって、本考案に係る仮設足場用の下棧における各部分の寸法は、実施例、図示例以外の自在な寸法として構成できる。
【００３１】
本実施例に係る仮設足場４１用の下棧１は、図１に示すように、例えば鋼管材等により形成した例えば長さ約５００ｍｍ程度の太パイプ３と、この太パイプ３の他端側に一端側を公知構造による抜け止め状態で嵌装する例えば鋼管材等により形成され前記太パイプ３の内径より僅かに小さい外径を有する例えば長さ約５００ｍｍ程度の細パイプ４との２重パイプ構造で、太パイプ３、細パイプ４を伸縮式とした下棧本体２と、前記太パイプ３の一端部に一体的に設けた係止孔７付の係止片５と、前記細パイプ４の他端部に一体的に設けた係止孔７付の係止片６と、を有している。
【００３２】
前記下棧１は、図１に示すように、前記太パイプ３に対して細パイプ４を最も縮めた状態で両係止孔７、７間の寸法を例えば６００ｍｍ、前記太パイプ３に対して細パイプ４を最も伸ばした状態で両係止孔７、７間の寸法を例えば９１４ｍｍとなるように、すなわち、両係止孔７、７間の寸法を例えば６００ｍｍから９１４ｍｍの範囲で伸縮し得るように構成している。
なお、図示するものではないが、前記２重パイプ構造の下棧１は、両係止孔７、７間の寸法を例えば９００ｍｍから１５２４ｍｍの範囲で伸縮し得るように構成しても良く、また、両係止孔７、７間の寸法を例えば１２００ｍｍから１８２９ｍｍの範囲で伸縮し得るように構成しても良い。
【００３３】
また、前記下棧１としては、図２に示すように、前記下棧本体２を構成する太パイプ３、細パイプ４の内部に、両端の二つの係止片５、６間に各々両端部が連結されたピアノ線等の可撓性を有する補強材８を配置し、強度を高めた構成としても良い。
【００３４】
更に、前記下棧１としては、図３に示すように、前記下棧本体２、及び二つの係止片５、６の外周に例えば黄色等の塗料を塗って着色部９（塗りつぶしで示す）を付加した構成としたり、図４に示すように、前記下棧本体２及び二つの係止片５、６の外周に蛍光塗料を塗り蛍光発光部１０（クロス斜線を付して示す）を付加した構成とするようにしても良い。
【００３５】
図３に示す下棧１、図４に示す下棧１の場合、図２に示す補強材８を内蔵しない構成とするか、又は図２に示す補強材８を内蔵する構成とするか、いずれを採用するかは各々任意である。
【００３６】
図３に示す構成の下棧１の場合、着色部９を付加したことにより、図９に示すように仮設足場４１に取り付けた状態においてこの下棧１が存在することを作業者は視覚により明確に認識することができ、転落防止についての安心感を得ることができる。
【００３７】
また、図４に示す下棧１の場合、蛍光発光部１０を付加したことにより、図９に示すように仮設足場４１に取り付けた状態において、特に夜間時等においてこの下棧１が存在することを作業者は視覚により明確に認識することができ、転落防止についての安心感を得ることができる。
【００３８】
次に本実施例に係る仮設足場４１用の変形例の下棧１１について、図５乃至図８を参照して説明する。
【００３９】
変形例の下棧１１は、図５に示すように、例えば鋼管材等により形成した例えば長さ約４５０ｍｍ程度の一端側太パイプ１３と、この一端側太パイプ１３の他端側に一端側を抜け止め状態に嵌装した例えば鋼管材等により形成した例えば長さ約９５０ｍｍ程度の中間パイプ１４と、前記中間パイプ１４の他端側が一端側に抜け止め状態で嵌装された例えば鋼管材等により形成した例えば長さ約４５０ｍｍ程度の他端側太パイプ１５との３重パイプ構造で、伸縮式とした下棧本体１２と、前記一端側太パイプ１３の一端部に一体的に設けた係止孔１８付の係止片１６と、前記他端側太パイプ１５の他端部に一体的に設けた係止孔１８付の係止片１７と、を有している。
【００４０】
前記中間パイプ１４の長さは、一端側太パイプ１３の他端側との抜け止め構造、及び他端側太パイプ１５の一端側との抜け止め構造のための各重合部分の寸法を考慮して設定するものである。
【００４１】
前記変形例の下棧１１は、図５に示すように、前記一端側太パイプ１３と他端側太パイプ１５とにより中間パイプ１４を覆うように最も縮めた状態で両係止孔１８、１８間の寸法が例えば９００ｍｍ、前記一端側太パイプ１３、他端側太パイプ１５を前記中間パイプ１４が最も大きく露出するように伸ばした状態で両係止孔１８、１８間の寸法が例えば１８２９ｍｍとなるように構成している。
なお、本考案に係る仮設足場用の下棧１１における各部分の寸法は、実施例、図示例以外の自在な寸法として構成できることは前述した通りである。
【００４２】
また、前記下棧１１としては、図６に示すように、前記下棧本体１２を構成する一端側太パイプ１３、中間パイプ１４及び他端側太パイプ１５の内部に、両端の二つの係止片１６、１７間に各々両端部が連結されたピアノ線等の可撓性を有する補強材８を配置し、強度を高めた構成としても良い。
【００４３】
更に、前記下棧１１としては、図７に示すように、前記下棧本体１２及び二つの係止片１６、１７の外周に例えば黄色等の塗料を塗って着色部１９（塗りつぶしで示す）を付加した構成としたり、図８に示すように、前記下棧本体１２及び二つの係止片１６、１７の外周に蛍光塗料を塗り蛍光発光部２０（クロス斜線を付して示す）を付加した構成とするようにしても良い。
【００４４】
図７に示す下棧１１、図８に示す下棧１１の場合において、図６に示す補強材８を内蔵しない構成、又は図６に示す補強材８を内蔵する構成のいずれを採用するかは各々任意である。
【００４５】
図７に示す構成の下棧１１の場合、着色部１９を付加したことにより、図９に示すように仮設足場４１に取り付けた状態においてこの下棧１１が存在することを作業者は視覚により明確に認識することができ、転落防止についての安心感を得ることができる。
【００４６】
また、図８に示す下棧１１の場合、蛍光発光部２０を付加したことにより、図９に示すように仮設足場４１に取り付けた状態において、特に夜間時等においてこの下棧１１が存在することを作業者は視覚により明確に認識することができ、転落防止についての安心感を得ることができる。
【００４７】
次に、図９を参照して、前記下棧１及び下棧１１の仮設足場４１への取り付け態様の概要について説明する。
【００４８】
図９は多層階用の足場、例えば、２階用の足場２１、３階用の足場３１等を構成する仮設足場４１の一部を示すものである。
【００４９】
この仮設足場４１は、２階用の足場２１を構成する各足場板４０が平坦に敷設される第１の建枠群２２、３階用の足場３１を構成する各足場板４０が平坦に敷設される第２の建枠群３２、図示しない４階用の足場を構成する各足場板が平坦に敷設される第３の建枠群４２からなる３段構成であり、かつ、図９においては第１の建枠群２２における６個の垂直支柱２３Ａ乃至２３Ｆのみ、第２の建枠群３２における６個の垂直支柱３３Ａ乃至３３Ｆのみ及び第３の建枠群４２の６個の垂直支柱４３Ａ乃至４３Ｆのみを概略的に示している。
【００５０】
第１の建枠群２２における６個の垂直支柱２３Ａ乃至２３Ｆの各間隔について説明すると、垂直支柱２３Ａと垂直支柱２３Ｂとの間隔は例えば１８２９ｍｍ、垂直支柱２３Ｂと垂直支柱２３Ｃとの間隔は例えば１５２４ｍｍ、垂直支柱２３Ｃと垂直支柱２３Ｄとの間隔は例えば１２１９ｍｍ、垂直支柱２３Ｄと垂直支柱２３Ｅとの間隔は例えば９１４ｍｍ、垂直支柱２３Ｅと垂直支柱２３Ｆとの間隔は例えば６１０ｍｍとしている。
【００５１】
第２の建枠群３２における６個の垂直支柱３３Ａ乃至３３Ｆの各間隔、第３の建枠群４２の６個の垂直支柱４３Ａ乃至４３Ｆの各間隔も前記垂直支柱２３Ａ乃至２３Ｆの各間隔と同様である。
【００５２】
また、第２の建枠群３２における６個の垂直支柱３３Ａ乃至３３Ｆは、図９に示すように、隣り合うもの同士各々交差筋交４５を用いて連結している。
【００５３】
第１の建枠群２２における６個の垂直支柱２３Ａ乃至２３Ｆ及び第３の建枠群４２の６個の垂直支柱４３Ａ乃至４３Ｆに関しても同様である。
【００５４】
次に、前記下棧１及び下棧１１の仮設足場４１への取り付け態様について、図９を参照し、かつ、前記第２の建枠群３２における６個の垂直支柱３３Ａ乃至３３Ｆの場合を主にして説明する。
【００５５】
前記垂直支柱３３Ａと垂直支柱３３Ｂとの間隔は上述したように例えば１８２９ｍｍであるので、前記下棧１１を図５最下欄に示すように最も長く伸ばし、係止孔１８、１８間の寸法が１８２９ｍｍとなるようにしてこの下棧１１を前記垂直支柱３３Ａ、垂直支柱３３Ｂの例えば足場板４０の位置から２００乃至３００ｍｍ上方の位置に取り付ける。
【００５６】
前記係止孔１８、１８の前記垂直支柱３３Ａ、垂直支柱３３Ｂに対する取り付け固定は、公知の手段、例えば前記垂直支柱３３Ａ、垂直支柱３３Ｂの所定の位置に設けた図示しないネジ付き突起に前記係止孔１８、１８を各々装着し、ネジ付き突起のネジにナットを螺着する等して行うものである。
【００５７】
前記垂直支柱３３Ｂと垂直支柱３３Ｃとの間隔は上述したように例えば１５２４ｍｍであるので、前記下棧１１を係止孔１８、１８間の寸法が１５２４ｍｍとなるように調整してこの下棧１１を前記垂直支柱３３Ｂ、垂直支柱３３Ｃの例えば足場板４０の位置から２００乃至３００ｍｍ上方の位置に取り付ける。取り付け固定態様は上述した場合と同様である。
【００５８】
前記垂直支柱３３Ｃと垂直支柱３３Ｄとの間隔は上述したように例えば１２１９ｍｍであるので、前記下棧１１を係止孔１８、１８間の寸法が１２１９ｍｍとなるように調整してこの下棧１１を前記垂直支柱３３Ｃ、垂直支柱３３Ｄの例えば足場板４０の位置から２００乃至３００ｍｍ上方の位置に取り付ける。取り付け固定態様は上述した場合と同様である。
【００５９】
一方、前記垂直支柱３３Ｄと垂直支柱３３Ｅとの間隔は上述したように例えば９１４ｍｍであるので、この場合には前記下棧１を図１最下欄に示すように最も長く伸ばし、係止孔１８、１８間の寸法が９１４ｍｍとなるようにしてこの下棧１を前記垂直支柱３３Ｄ、垂直支柱３３Ｅの例えば足場板４０の位置から２００乃至３００ｍｍ上方の位置に取り付ける。取り付け固定態様は上述した場合と同様である。
【００６０】
同様に、前記垂直支柱３３Ｅと垂直支柱３３Ｆとの間隔は上述したように例えば６１０ｍｍであるので、この場合にも前記下棧１を係止孔１８、１８間の寸法が６１０ｍｍとなるようにしてこの下棧１を前記垂直支柱３３Ｅ、垂直支柱３３Ｆの例えば足場板４０の位置から２００乃至３００ｍｍ上方の位置に取り付ける。取り付け固定態様は上述した場合と同様である。
【００６１】
前記第３の建枠群４２の６個の垂直支柱４３Ａ乃至４３Ｆに関しても、前記下棧１及び下棧１１の取り付け態様は全く同様である。
【００６２】
また、図示しない更に上層階の建枠群に関しても、前記下棧１及び下棧１１の取り付け態様は全く同様である。
【００６３】
以上説明したように、本実施例の仮設足場４１用の下棧１、及び変形例の下棧１１によれば、仮設足場４１の組み立て現場において、例えば第２の建枠群３２における６個の垂直支柱３３Ａ乃至３３Ｆの各間隔が図９に示すように個別に異なるような場合でも、既述したように各垂直支柱３３Ａ乃至３３Ｆにおける隣り合うもの同士の間隔に応じて本実施例の下棧１の係止孔７、７間の寸法又は変形例の下棧１１の係止孔１８、１８間の寸法を各々対応する各垂直支柱３３Ａ乃至３３Ｆにおける隣り合うもの同士の間隔に合わせて調整し、簡略容易に、かつ、迅速に当該部位に各々取り付けることができる。
【００６４】
前記第３の建枠群４２の６個の垂直支柱４３Ａ乃至４３Ｆに関しても同様である。
【００６５】
また、本実施例の仮設足場４１用の下棧１、及び変形例の下棧１１によれば、既述したように各々伸縮式としているので、運搬時、保管時においては各々最も縮めた態様とすることで運搬作業の簡便化、保管場所の省スペース化を図ることができる等極めて優れた機能を発揮する。
【００６６】
更に、上述した本実施例の仮設足場４１によれば、前記各交差筋交４５が位置する垂直面の隙間空間４４（図９において斜線を付して示す）の下方位置で、かつ、前記足場板４０よりも所定寸法上方位置に前記下棧１、又は下棧１１が取れ付けられ、隙間空間４４の一部を遮るようにしているので、前記下棧１、又は下棧１１により、作業者が隙間空間４４から下方に落下することを確実に防止することができる。
【産業上の利用可能性】
【００６７】
本考案の仮設足場用の下棧は、ビルディング建築現場、一般住宅建築現場、ビルディング等の外壁補修現場、更にはダム等の土木構造物建造現場等、種々の場所に構築される仮設足場について広範に適用可能である。
【符号の説明】
【００６８】
１    下棧
２    下棧本体
３    太パイプ
４    細パイプ
５    係止片
６    係止片
７    係止孔
８    補強材
９    着色部
１０    蛍光発光部
１１    下棧
１２    下棧本体
１３    一端側太パイプ
１４    中間パイプ
１５    他端側太パイプ
１６    係止片
１７    係止片
１７    係止片
１８    係止孔
１９    着色部
２０    蛍光発光部
２１    足場
２２    第１の建枠群
２３Ａ  垂直支柱
２３Ａ  垂直支柱
２３Ｂ  垂直支柱
２３Ｃ  垂直支柱
２３Ｄ  垂直支柱
２３Ｅ  垂直支柱
２３Ｆ  垂直支柱
３１    足場
３２    第２の建枠群
３３Ａ  垂直支柱
３３Ｂ  垂直支柱
３３Ｃ  垂直支柱
３３Ｄ  垂直支柱
３３Ｅ  垂直支柱
３３Ｆ  垂直支柱
４０    足場板
４１    仮設足場
４２    第３の建枠群
４３Ａ  垂直支柱
４３Ｂ  垂直支柱
４３Ｃ  垂直支柱
４３Ｄ  垂直支柱
４３Ｅ  垂直支柱
４３Ｆ  直支柱
４４    隙間空間
４５    交差筋交
【図１】
0003187837.tif 000003
【図２】
0003187837.tif 000004
【図３】
0003187837.tif 000005
【図４】
0003187837.tif 000006
【図５】
0003187837.tif 000007
【図６】
0003187837.tif 000008
【図７】
0003187837.tif 000009
【図８】
0003187837.tif 000010
【図９】
0003187837.tif 000011
【図１０】
0003187837.tif 000012
【図１１】
0003187837.tif 000013